(57)【要約】【課題】表面意匠に深み感があって高級感があり、視覚的すべりにくさのある、樹脂被覆棒材を提供することを目的とする。【解決手段】複合押出成形により、中空又は中実の棒材からなる芯材表面に、有色樹脂層及びこの有色樹脂層の表面に、光透過性樹脂層を形成してあり、有色樹脂層の断面肉厚が芯材外周に沿って異形断面になっていて、光透過性樹脂層の表面が外周に沿って平滑であることを特徴とする樹脂被覆棒材とした。  有色樹脂層表面の深さの変化を透けて奥が見える光透過性樹脂層越しに見えるようにすることで、樹脂被覆棒材の表面外観に深み感が生じる。【選択図】  図１
2006336335.tif 000002
【特許請求の範囲】
【請求項１】
複合押出成形により、
中空又は中実の棒材からなる芯材表面に、有色樹脂層及びこの有色樹脂層の表面に、光透過性樹脂層を形成してあり、有色樹脂層の断面肉厚が芯材外周に沿って異形断面になっていて、光透過性樹脂層の表面が外周に沿って平滑であることを特徴とする樹脂被覆棒材。
【請求項２】
有色樹脂層の異形断面が芯材の外周に沿った凹凸形状であることを特徴とする請求項１記載の樹脂被覆棒材。
【請求項３】
複合押出成形により、中空又は中実の棒材からなる芯材表面に、有色樹脂層及び、この有色樹脂層の表面に、光透過性樹脂層を形成してあり、有色樹脂層がストライプ状に多色層に形成され、光透過性樹脂層の表面が外周に沿って平滑であることを特徴とする樹脂被覆棒材。
【請求項４】
請求項１〜３のいずれかに記載の樹脂被覆棒材からなることを特徴とする手摺用部材。
【発明の詳細な説明】
【技術分野】
【０００１】
本発明は、外観意匠に高級感を有し、視覚的滑りにくさを備えた樹脂被覆棒材に関し、手摺り用部材として使用するのに特に適している。
【背景技術】
【０００２】
従来、建築物に用いる手摺り部材においては、パイプ芯材上に有色樹脂の中間層を形成し、中間層上に透明又は半透明樹脂からなる外層を形成して、光沢性を高くして高級感を付与する技術が例えば特開２００４−２１１３１３号公報に示すように公知である。
しかし、このように光沢性の高い手摺り部材は視覚的に滑りやすく見え不安感が生じる問題があった。
また、光沢性を付加しただけでは、表面意匠に深み感が得られないことから、高級感が不充分であった。
一方、特開平８−２４４１７４号公報には、インクで凹凸模様を形成し、その上に透明又は半透明な保護層を形成することで深みを付与した化粧材とする技術を開示するが、インクを用いている点で模様の凹凸や形状に制限があった。
【０００３】
【特許文献１】特開２００４−２１１３１３号公報
【特許文献２】特開平８−２４４１７４号公報
【発明の開示】
【発明が解決しようとする課題】
【０００４】
本発明は上記技術的課題に鑑みて、表面意匠に深み感があって高級感があり、視覚的すべりにくさのある、樹脂被覆棒材を提供することを目的とする。
【課題を解決するための手段】
【０００５】
本発明の技術的要旨は、複合押出成形により、中空又は中実の棒材からなる芯材表面に、有色樹脂層及びこの有色樹脂層の表面に、光透過性樹脂層を形成してあり、有色樹脂層の断面肉厚が芯材外周に沿って異形断面になっていて、光透過性樹脂層の表面が外周に沿って平滑であることを特徴とする。
【０００６】
ここで、有色樹脂層の断面肉厚が芯材の外周に沿って異形断面になっているとは、有色樹脂層の表面と光透過性樹脂の表面との距離（間隔）が外周に沿って一定でなく、有色樹脂層の外周表面が芯材と同心円になっていないことをいい、断面肉厚が徐変し、偏心しているものや、例えば、有色樹脂層の表面に、波形状、鋸形状等の凹凸形状を周方向に形成し、その有色樹脂層表面の深さの変化を透けて奥が見える光透過性樹脂層越しに見えるようにすることで、樹脂被覆棒材の表面外観に深み感が生じる。
従って、本発明において光透過性樹脂層とは、外側から有色樹脂層の表面が透けて見えればよく、透明のみならず半透明、有色透明であってもよい。
【０００７】
また、本発明における樹脂被覆棒材は複合押出成形により、中空又は中実の棒材からなる芯材表面に、有色樹脂層及び、この有色樹脂層の表面に、光透過性樹脂層を形成してあり、有色樹脂層がストライプ状に多色層に形成され、光透過性樹脂層の表面が外周に沿って平滑にしたものでもよい。
【０００８】
本発明に係る樹脂被覆棒材は、押出成形法を用いて製作する点にも特徴があり、棒材は中空パイプ、中実棒に適用出来、棒材であれば丸棒のみならず角棒等でもよい。
【発明の効果】
【０００９】
本発明に係る樹脂被覆棒材は、光透過性を有する表皮層の下に表皮層表面の断面形状とは異形状に有色樹脂層を複合押出成形で形成することで、視覚上の奥行き感を生じさせる。
また、この複合押出成形により有色樹脂層を、複数の異色の樹脂をストライプ状に配置して形成し、その上に光透過性樹脂層を形成することで、深みのある意匠が容易に得られる。
これにより外観に深み感を醸成し、また、透けて見える有色樹脂層の外観で目の錯覚によるすべりにくい印象を生じさせ、使用者は安心してつかむことができるので、例えば手摺り部材として高級感や意匠性を高めることが出来る。
【発明を実施するための最良の形態】
【００１０】
本発明に係る樹脂被覆棒材の実施例について以下図面を用いて説明する。
図１（イ）〜図１（ホ）は、樹脂被覆棒材の断面を模式的に示したものである。
図１（イ）において、手摺り部材等の樹脂被覆棒材１０ａは金属製のパイプ状芯材２０との間に接着層を設ける等して有色樹脂層３０を芯材表面２０ａ上に芯材２０を被覆するように形成している。
その有色樹脂層表面３０ａ上に透明樹脂、又は、スモーク状等の半透明樹脂、あるいは有色透明樹脂からなる表皮層（光透過性樹脂層）４０を複合押出成形により形成している。
有色樹脂層３０は、その断面形状が歯車状となるように有色樹脂層表面３０ａの周方向に凸形状部３３を所定間隔毎に設けている。
一方表皮層４０は、その表面４０ａの断面形状を円状としている。
図１（イ）に示す樹脂被覆棒材１０ａの斜視図を図２に示す。
芯材２０は、その上に有色樹脂層３０及び表皮層４０を複合押出成形で棒状に形成できれば、その形状は限定されない。
また、表皮層４０の表面４０ａの断面形状は、曲線状で樹脂被覆棒材の外観に光沢感が付与出来れば図１のように円状である必要はなく、限定されない。
光透過性を有する表皮層４０の下に有色樹脂層３０を、表皮層表面４０ａと有色樹脂層表面３０ａとの間の距離（表皮層の厚さ）が周方向において、ｄ１、ｄ２のように異なるように複合押出成形で形成している。
これにより、樹脂被覆棒材１０ａの表皮層表面４０ａにおいて、部位１１、１２のように表皮層４０を透かして見える有色樹脂層３０の深さが周方向においてｄ１、ｄ２の様に異なる部位を形成して、外観の深み感（奥行き感）を生じさせている。
これにより、外観に高級感を付与している。
また、この有色樹脂層表面３０ａが表皮層表面４０ａ形状に対して異形である形状により視覚的に滑りにくい印象を、見た人に生じさせて、透明性を有する被覆による高光沢性から生じやすい滑りやすい印象を防いでいる。
図１（ロ）に示す樹脂被覆棒材１０ｂは、有色樹脂層３０の表面３０ａに有色樹脂層３０の表面形状を周方向にギザギザ状として有色樹脂層断面形状をつめ車状とする鋸形状部３４を設けた実施例を示し、図１（ハ）は有色樹脂層表面３０ａを滑らかな周方向の波形状とする波形状部３５を設けた樹脂被覆棒材１０ｃを示す。
図１（ニ）に示す樹脂被覆棒材１０ｄは、有色樹脂層表面３０ａの円状の断面の中心軸３０ｂと表皮層表面４０ａの円状の断面中心軸４０ｂとを偏心させて有色樹脂層３０と表皮層４０を形成することで、表皮層４０の厚みを周方向に変化させた場合を示す。
【００１１】
図１（ホ）は、２色の樹脂３１、３２を芯材２０表面上の周方向に交互に配置して、有色樹脂層３０表面に樹脂被覆棒材１０ｅの長手方向に伸びる縞模様を形成する実施例を示し、図１（ヘ）は有色樹脂層表面３０ａに縞模様を形成する着色部３６を設けた樹脂被覆棒材１０ｆを示す。
このように有色樹脂層３０の表面３０ａに、視覚的な錯覚により奥行き感を生じさせる図柄を、図１（ホ）に示すような異色の樹脂３１、３２の組み合わせや、図１（ヘ）に示すように着色部３６により形成することで、樹脂被覆棒材外観に深み感と視覚的滑りにくさ感を生じさせても良い。
【図面の簡単な説明】
【００１２】
【図１】本発明に関する樹脂被覆棒材の説明図で（イ）〜（ホ）は断面図を示し、（ヘ）は斜視図を示す。
【図２】樹脂被覆棒材の斜視図を示す。
【符号の説明】
【００１３】
１０ａ、１０ｂ、１０ｃ、１０ｄ  樹脂被覆棒材
１０ｅ、１０ｆ  樹脂被覆棒材
１１、１２  樹脂被覆棒材表面の部位
２０    金属製のパイプ状芯材
２０ａ  芯材表面
３０    有色樹脂層
３０ａ  有色樹脂層表面
３０ｂ  有色樹脂層表面中心軸
３１、３２  異色樹脂
３３    凸形状部
３４    鋸形状部
３５    波形状部
３６    着色部
４０    表皮層（光透過性樹脂層）
４０ａ  表皮層表面
４０ｂ  表皮層表面中心軸
ｄ１、ｄ２  表皮層表面と有色樹脂層表面との間の距離
【図１】
2006336335.tif 000003
【図２】
2006336335.tif 000004